(57)【要約】【課題】コンテンツ配信装置のピアツーピア（Ｐ２Ｐ）)ネットワーク内の電力消費を制御する方法が提供される。【解決手段】この方法は、前記ネットワークが装置に記憶された各コンテンツ単位を配信する前記ネットワークの能力を決定する工程と、前記装置に記憶された各コンテンツ単位に対する前記ネットワークの需要を決定する工程と、前記能力と前記装置に記憶された各コンテンツ単位に対する前記需要とを比較する工程と、前記比較に基づき、前記装置に供給される前記電力を制御する工程とを有する。【選択図】図１
2011040060.tif 000002
【特許請求の範囲】
【請求項１】
少なくとも一つの装置が少なくとも一つのコンテンツ単位を記憶するコンテンツ配信装置のピアツーピアネットワーク内の電力消費の制御方法であって、
前記装置に記憶された各コンテンツ単位を配信する前記ネットワークの供給能力を決定し、
前記装置に記憶された各コンテンツ単位に対する前記ネットワークの需要を決定し、
前記供給能力と前記装置に記憶された各コンテンツ単位に対する前記需要とを比較し、
前記比較に基づき、前記装置に供給される電力を制御することを特徴とするピアツーピアネットワーク内の電力消費の制御方法。
【請求項２】
請求項１に記載のピアツーピアネットワーク内の電力消費の制御方法において、
前記供給能力と前記需要との比較工程は、前記供給能力の前記需要に対する割合を演算する工程を含むことを特徴とするピアツーピアネットワーク内の電力消費の制御方法。
【請求項３】
請求項２に記載のピアツーピアネットワーク内の電力消費の制御方法において、
前記電力の制御工程は、前記割合が所定の閾値を上回った時に前記装置に供給される前記電力を減少させる工程を含むことを特徴とするピアツーピアネットワーク内の電力消費の制御方法。
【請求項４】
請求項１から請求項３のいずれかに記載のピアツーピアネットワーク内の電力消費の制御方法において、
前記装置は帯域幅を有し、
前記ネットワークがコンテンツ単位を配信する前記供給能力を決定する工程は、前記コンテンツ単位を記憶する全ての装置にわたる全帯域幅を演算する工程を含むことを特徴とするピアツーピアネットワーク内の電力消費の制御方法。
【請求項５】
請求項１から請求項４のいずれかに記載のピアツーピアネットワーク内の電力消費の制御方法において、
前記装置は、使用時に前記コンテンツ単位を記憶する装置から前記コンテンツ単位をダウンロードするよう構成され、
前記ネットワークの前記コンテンツ単位の需要を決定する工程は、全ての装置にわたる前記コンテンツ単位の全ダウンロード数を計算する工程を含むことを特徴とするピアツーピアネットワーク内の電力消費の制御方法。
【請求項６】
請求項４に記載のピアツーピアネットワーク内の電力消費の制御方法において、
前記全帯域幅は指数移動平均として計算されることを特徴とするピアツーピアネットワーク内の電力消費の制御方法。
【請求項７】
請求項５に記載のピアツーピアネットワーク内の電力消費の制御方法において、
前記全ダウンロード数は指数移動平均として計算されることを特徴とするピアツーピアネットワーク内の電力消費の制御方法。
【請求項８】
少なくとも一つの装置が少なくとも一つのコンテンツ単位を記憶するコンテンツ配信装置のピアツーピアネットワーク内の電力消費を制御する電力制御システムであって、
前記装置に記憶された各コンテンツ単位を配信する前記ネットワークの供給能力を決定する手段と、
前記装置に記憶された各コンテンツ単位に対する前記ネットワークの需要を決定する手段と、
前記供給能力と前記装置に記憶された各コンテンツ単位に対する前記需要とを比較する手段と、
前記比較に基づき、前記装置に供給される電力を制御する手段とを備えることを特徴とする電力制御システム。
【発明の詳細な説明】
【技術分野】
【０００１】
本発明は、広くテレビ及びメディア配信ネットワークに関する。特に、本発明は協働するピア装置の配信ネットワーク又はピアツーピア（Ｐ２Ｐ）配信ネットワーク内での消費エネルギーを低減するためのピアツーピアネットワーク内の電力消費の制御方法及び電力制御システムに関する。
【背景技術】
【０００２】
今日、ラジオ及びテレビ（ＴＶ）番組、映画、音楽、着信音、ゲ―ム及び様々なデータアプリケーションが、数多くの専用ネットワーク及びエンドユーザの端末を介して公衆に配信される。ブロードバンドインターネットの普及に伴い、全てのコンテンツ配信サービスは、ますますインターネットを介して公衆に伝達されるようになっている。
ブロードバンドインターネットが遍在的になるにしたがって、インターネットテレビの需要が高まってきている。しかしながら、現在のインターネットのインフラストラクチャは何百万人もの人々に現在進行中のイベントを同時に送信する(すなわちブロードキャストする)のには適さない。問題は、このような送信には、一人一人のユーザそれぞれに送信される専用のデータストリームを要することである。何百万人もの潜在的なユーザがいる場合、同時にデータを流すとすぐにインターネットが混雑する。
【０００３】
ここ数年、この問題はマルチキャストによってデータストリームを多くのローカルサーバに配信し、その後このローカルサーバがコンテンツをローカルユーザに再ブロードキャストすることによって解決されてきている。しかしながら、ほとんどのインターネットプロトコル（ＩＰ）ルータはマルチキャストをサポートできないし、インターネットサービスプロバイダにマルチキャストを導入させる経済的なインセンティブもないように思われる。さらに、オーディオビジュアルメディアの利用は、共同的かつ受動的なアプローチから、家庭で、及び家庭外の移動中における個人的で能動的な形態に移りつつある。同時に、リニアなブロードキャストテレビという古典的なモデルから、非リニアな形態に移り変わりつつある。もはやテレビはオーディオビジュアルコンテンツ配信を独占しておらず、パソコン（ＰＣ）及び携帯端末（ＰＤＡ）などの関連するメディアセンタがますますその重要性を増している。
【０００４】
このような各種の端末が混在する環境下においては、コンテンツを効率的に配信するには、ユニキャスト、マルチキャスト及びブロードキャスト配信を最適化することとならび、近時のピアツーピアをベースとする技術の進歩により可能となった新たな機構のサポートが必要となる。このような状況は、既存のビジネスモデル及び組織とならび、コンテンツ作成、コンテンツ配信及び各種端末におけるエンドユーザに大きな効果をもたらす。これは、わかりやすいサービスの継続を求めるユーザを考慮したとき、特に異機種環境にある端末やネットワークに基づいてサービスを提供する組織に適用できる。
【０００５】
これらの要望に応えるため、ピアツーピア技術を用いれば、プロ及びユーザの作成したコンテンツを効率的かつ低コストに提供可能である。ピアツーピア技術は、従来型のコンテンツ伝送／配信（ＣＤＮ）技術ではないものの、任意のメディアファイルないしライブストリームを配信するのに効率的な機構であると多くから考えられているため、コンテンツをエンドユーザに伝送するのに広く利用される。したがって、この新たなピアツーピア技術は、オープンソースで、効率的、かつ社会的及び協調的な意味での一般参加型のテレビ及びメディア伝送機構を提供するのに利用できる可能性があることが認識されてきている。
【発明の概要】
【発明が解決しようとする課題】
【０００６】
しかしながら、ピアツーピアのテレビ及びメディア配信構想は、コンテンツの過剰供給、及びこれによるネットワーク動作の総体的な非効率性に対する懸念を招いている。これは、このようなピアツーピアネットワーク中の多くの装置が、それらの共有するコンテンツが他のピアによって必要とされる場合に高出力状態とされる必要があることによる。
【０００７】
本発明の目的は、ピアツーピアネットワークでインターネットを介してテレビ及びメディア配信に用いられる全体的なエネルギー消費を低減することよってその全体的な効率性を向上しコストを最小化するピアツーピアネットワーク内の電力消費の制御方法および電力制御システムを提供することにある。
【課題を解決するための手段】
【０００８】
本発明によれば、少なくとも一つの装置が少なくとも一つのコンテンツ単位を記憶するコンテンツ配信装置のピアツーピアネットワーク内の電力消費の制御方法であって、前記装置に記憶された各コンテンツ単位を配信する前記ネットワークの供給能力を決定し、前記装置に記憶された各コンテンツ単位に対する前記ネットワークの需要を決定し、前記供給能力と前記装置に記憶された各コンテンツ単位に対する前記需要とを比較し、前記比較に基づき、前記装置に供給される電力を制御する方法が提供される。
【０００９】
また、本発明のピアツーピアネットワーク内の電力消費の制御方法において、前記供給能力と前記需要との比較工程は、前記供給能力の前記需要に対する割合を演算する工程を含むことが好ましい。
【００１０】
また、本発明のピアツーピアネットワーク内の電力消費の制御方法において、前記電力の制御工程は、前記割合が所定の閾値を上回った時に前記装置に供給される前記電力を減少させる工程を含むことが好ましい。
【００１１】
また、本発明のピアツーピアネットワーク内の電力消費の制御方法において、前記装置は帯域幅を有し、前記ネットワークがコンテンツ単位を配信する前記供給能力を決定する工程は、前記コンテンツ単位を記憶する全ての装置にわたる全帯域幅を演算する工程を含むことが好ましい。
【００１２】
また、本発明のピアツーピアネットワーク内の電力消費の制御方法において、前記装置は、使用時に前記コンテンツ単位を記憶する装置から前記コンテンツ単位をダウンロードするよう構成され、前記ネットワークの前記コンテンツ単位の需要を決定する工程は、全ての装置にわたる前記コンテンツ単位の全ダウンロード数を計算する工程を含むことが好ましい。
【００１３】
また、本発明のピアツーピアネットワーク内の電力消費の制御方法において、前記全帯域幅は指数移動平均として計算されることが好ましい。
また、本発明のピアツーピアネットワーク内の電力消費の制御方法において、前記全ダウンロード数は指数移動平均として計算されることが好ましい。
【００１４】
さらに、本発明によれば、少なくとも一つの装置が少なくとも一つのコンテンツ単位を記憶するコンテンツ配信装置のピアツーピアネットワーク内の電力消費を制御する電力制御システムであって、前記装置に記憶された各コンテンツ単位を配信する前記ネットワークの供給能力を決定する手段と、前記装置に記憶された各コンテンツ単位に対する前記ネットワークの需要を決定する手段と、前記供給能力と前記装置に記憶された各コンテンツ単位に対する前記需要とを比較する手段と、前記比較に基づき、前記装置に供給される電力を制御する手段とを備えることを特徴とする電力制御システムも提供される。
【発明の効果】
【００１５】
したがって、所定のコンテンツに対するピアのコミュニティの供給能力を評価することによってピアツーピアネットワーク内の全エネルギー消費を低減することが可能となる。
【図面の簡単な説明】
【００１６】
【図１】ピアツーピアネットワークの異なる構成要素間での相互作用を示す略図である。
【図２】本発明のシステム中で複数のトラッカーを介してコンテンツアイテムをマッピングすることを示す略図である。
【図３】本発明のシステム中で可能な需要供給状態(SDS)メッセージを示す略図である。
【図４】本発明の方法を用いた場合の４つの可能なシナリオを示す略図である。
【発明を実施するための形態】
【００１７】
図１は、ピアツーピアネットワークの異なる構成要素間の相互作用を示す。ネットワーク中のピア装置(以下ピアとする)Ｐａは、コンテンツ記憶装置を備え、以前に取得済みの、又はネットワークから取得中の個別のセット(discrete set)のコンテンツアイテムContentＰａをネットワークで利用可能とする。
【００１８】
ContentＰａ ＝ ｛Ｃ１，Ｃ２，…，Ｃｎ｝      …（１）
【００１９】
トラッカーＴは、コンテンツアイテムＣｉをトラッキングする手段として用いられる。コンテンツアイテムＣｉは、コンテンツアイテムＣｉをトラッキングするのに用いられるトラッカーＴに固有のハッシュ値(infohash)Ｉｉによって識別される。各コンテンツアイテムＣｉは、任意の時点で、当該コンテンツを共有するピアＰａがその全てまたはその単なるサブセットを有しうるコンテンツピースｃjに分割される。
【００２０】
Ｃｉ ＝ ｛ｃ１，ｃ２，…，ｃｎ}      …（２）
【００２１】
コンテンツピースｃi,jはネットワーク内でハッシュ値ＩｉとコンテンツアイテムＣｉのバイト０からのコンテンツピースオフセット値ｊとの組み合わせ（Ｉｉ，ｊ）によって一義的に識別可能である。典型的なコンテンツピースのサイズは、３２キロバイトから１メガバイトである。以下に記載されるように、コンテンツピースｃjが、本発明の方法での管理単位と考えられる。
【００２２】
図１では、ピアＰａが一連のコンテンツアイテムContentＰａをネットワークと共有する。Ｐａは、ダウンロード可能な所望のコンテンツのピースをＰａが有することをトラッカーＴを介して発見した別のピアＰｂの要求に応じて、コンテンツピースｃjを提供する。トラッカーＴはネットワーク内でコンテンツとピアの間のマッピングを維持する。ピアＰｂが取得しようとする各コンテンツアイテムＣｉにつき、ピアＰｂはコンテンツアイテムＣｉをホストするトラッカーＴに対し、欠落するコンテンツピースｃjを取得するにはいずれのピアに接続すべきかを問い合わせる。当然ながら、通常一つよりも多くのトラッカーＴがピアツーピアネットワークで用いられる。以下に説明されるように、本発明のシステムでのトラッカーＴは、コンテンツピースｃi,jの需要・供給双方についての情報を提供する手段を表す。
図２は本発明のシステム中で複数のトラッカーを介してコンテンツアイテムをマッピングすることを示す略図である。各ピアＰａは一連のトラッカーと関係を有する。
【００２３】
TrackersＰａ＝{Ｔ１，Ｔ２，…，Ｔｋ}      …（３）
【００２４】
トラッカーは、ピアが自身の記憶するコンテンツピースを公表し、かつ取得しようとするコンテンツを供給可能なピアを発見するための手段である。ピアＰａに記憶される任意のコンテンツピースと、当該コンテンツピースを共有可能であることを公表するトラッカーとの間には一対多の関係があっても良い。一連のContentＰａ中の各コンテンツピースは一つ又は複数のトラッカーによって管理される。
【００２５】
ピアＰａは、オンラインとなった(すなわち、ネットワークに参加した)時点で、その関連するトラッカー(TrackersＰａ)に自身の所有するコンテンツピースを公表し、その後これら全てのトラッカーに供給過剰のために電源停止すべきかを応答するよう求める。自身が参加するピアコミュニティによるコンテンツピースへのアクセスの仲介者として、コンテンツピースｃi,jを管理する任意のトラッカーＴｋは、二つのキーとなる基準、すなわちコンテンツピースｃi,jに対する需要Ｄi,jと、コンテンツピースｃi,jに対する供給Ｓi,jを判定可能である。
【００２６】
コンテンツピースｃi,jに対する供給Ｓi,jは、それぞれ関連するトラッカーＴｋによって、コンテンツピースｃi,jを共有可能な全てのピア全体で利用可能な帯域幅Ｂの合計として演算され、バイト毎秒（ｂｐｓ）の単位で表される。
【００２７】
2011040060.tif 000003
…（４）
【００２８】
任意のピアについて利用可能な帯域幅の供給が変化することが予期されるため、Ｂの測定結果は指数移動平均としてそのピアの関連するトラッカー全てに報知される。
【００２９】
Ｂｔ ＝ αＢｔ-1 ＋ （１−α）Ｂobserved      …（５）
【００３０】
以上において、αはネットワーク内の実証的調査によって決定可能な平滑化係数(smoothing factor)である。
利用可能な帯域幅容量Ｂとコンテンツピースの利用可能性は、需要供給状況（supply and demand status、ＳＤＳ）メッセージを介してピアＰａが接続する全てのトラッカーＴｋに報知される。トラッカーはその監視するピアのコミュニティによる問い合わせを断続的に受け、かつ当該ピアが所有するコンテンツの報告を受ける。このコンテンツは(例えば、トレントファイル(torrent file)等のコンテンツ識別子に基づく)ハッシュ値と、当該ピアが取得に成功して他のピアと共有可能なコンテンツピースを詳細に示すビットマスクとの組み合わせとして識別される。このように報知されたハッシュ値、ビットマスク、及び帯域幅利用可能性数値の組み合わせは、トラッカーＴｋにより維持される監査情報となる。この情報によって、トラッカーＴｋは、本発明のエネルギー管理システム中でその役割を果たすことができる。
【００３１】
図３は、ピアＰａからトラッカーＴＣｉに送信されるＳＤＳメッセージの使用可能なフォーマットを示す略図である。このＳＤＳメッセージは、ピアＰａによってトラッカーＴＣｉにより管理されることが選択された一連のコンテンツアイテムＣｉの需要供給情報を含む。各コンテンツアイテムＣｉはそのハッシュ値Ｉｉによって識別され、コンテンツピース利用可能性及び留保状態の双方を示すビットマスクを有する。留保状態が１であることは、該当コンテンツピースがＰａによって要求されたが、この要求はこのＳＤＳメッセージがコンパイルされた時点で満たされなかったことを示す。
【００３２】
複数のトラッカーが当該コンテンツの知識を有する場合、本発明のシステム中の任意のコンテンツピースｃi,jにつき、当該コンテンツを保持するピアＰａは、いずれのトラッカーＴＣｉに、変化する需要供給状態を報知するのかを決定しなくてはならない。全てのコンテンツアイテムＣｉはＳＤＳメッセージに関して一つのトラッカーＴＣｉをマッピングする。ピアＰａは需要供給指標についてのみＴＣｉを更新するものの、ピアＰａは、その知る限りのトラッカーから共有用のピアを指定してＣｉのコンテンツピース用の情報を維持することも可能であることに注意すべきである。これにより、システムの負荷バランス及び堅牢性が維持される。
ｎ秒間のピースｃi,jについての需要Ｄi,jは以下のように計算可能である。
【００３３】
2011040060.tif 000004
…（６）
【００３４】
以上において、downloads(ｔ, ｃi,j)は［ｔ−１，ｔ］秒間のｃi,jのダウンロード回数を表し、size(ｃi,j)はバイトで測定したｃi,jの大きさである。トラッカーＴＣｉはdownloads(ｔ, ｃi,j)を、自身と関連があり、共有用コンテンツピースの取得に成功しそのコンテンツピースのコピーを維持しているピアの数の［ｔ−１，ｔ］秒間における差分として演算できる。関数pending(ｔ，ｃi,j)はサンプリング期間［ｔ−１，ｔ]中にｃi,jについてなされた要求の内満たされなかったものの数に対応する。ネットワーク内が供給過剰である場合には、pending(ｔ，ｃi,j)はゼロに等しくなることが予想される。
トラッカーＴＣｉは、以下のようにＤi,jについての指数移動平均を計算する。
【００３５】
Ｄｔ＝αＤｔ−１＋（１−α）Ｄobserved      …（７）
【００３６】
以上において、αはネットワークの動作中の実証的調査によって決定可能な平滑化係数である。ピアＰａがエネルギーを消費せずネットワーク全体の効率を最適化するため低電力状態に入るべきかを知りたい場合には、ピアＰａはその接続する全てのトラッカーに省電力問い合わせメッセージを送信する。ＳＤＳメッセージの受信中、トラッカーＴＣｉはピアによって報知される全てのコンテンツピースｃi,jについてＤi,jとＳi,jを計算することになる。Ｄi,j>0の場合、トラッカーＴＣｉは以下の健康関数Ｈi,j＝Ｓi,j／Ｄi,jを評価する。ピアＰａによって共有されトラッカーＴＣｉが利用可能であることを公表している全てのコンテンツピースｃi,jについてＨi,jが閾値γよりも大きい場合、トラッカーＴＣｉは当該ピアの省電力問い合わせに対してＹＥＳと応答する。γは２と５の間の値（200%から500%の供給過剰を示す）であることが予測される。しかしながら、実際上、γは基盤となるネットワークトポロジーに依存し、したがってシステムの動作に影響する調整可能なパラメータとなりうる。さらに、γは実証的な研究及び動作検証を通じて最適化される必要があるかもしれないが、その詳細は本発明の範囲を超える。
【００３７】
ピアＰａが接続する全てのトラッカーが省電力問い合わせに対してＹＥＳと応答した場合、ピアＰａは電源を落とすか、コンテンツピースの共有をやめて新しい通知がくるまでか、又は期間Δｐｄの間、低電力状態に入る。Δｐｄはネットワーク動作に応じて決定可能であり、トラッカー管理者の制御の下、調整可能なパラメータとして作用する。ピアＰａはその関連する一つ以上のトラッカーＴｋから共有要求メッセージを受領した時点で復帰し通常共有動作を再開可能である。このメッセージは、トラッカーＴｋがネットワーク内の供給不足を検知することにより、ピアＰａによって受領される。トラッカーＴｋは、復帰させるピアＰａを、そのアップロード能力、ひいてはその需要と供給の間の帯域幅ギャップを埋める予測能力に基づき選択可能である。当然ながら、エンドユーザがピア装置を積極的に使っている場合（例えばテレビ録画視聴中）、この装置は独立して低電力ないし電源停止状態には入ることはない。本発明の方法は、主としてアイドル状態のピアに関する。
【００３８】
以上のように、トラッカーＴｋは、自身が参加しているピアコミュニティ（ピアネットワーク）の供給能力Ｓi,jを決定する手段と、ピアコミュニティにおけるコンテンツピースｃi,jの需要Ｄi,jを決定する手段と、供給能力Ｓi,jと需要Ｄi,jとを比較する手段と、この比較に基づいて省電力の必要性を判定する判定手段とを有している。また、各ピアは、トラッカーＴｋに対する省電力問い合わせメッセージ送信手段と、ピアの電力を制御する省電力手段とを有している。そして、トラッカーＴｋの判定手段とピアの省電力問い合わせメッセージ送信手段と省電力手段とによって、ピアに供給される電力を制御する手段を構成している。
【００３９】
図４は本発明の方法を用いた場合の4つの可能なシナリオないしケースを示す略図である。
ケース１は、新規コンテンツがピア装置Ｐａのユーザにより選択およびダウンロードされて共有コンテンツピースプールに入った時のシナリオを示す。ピアＰａには有限な記憶容量しかないことが想定されることから、古くなったコンテンツは最長時間未使用（Least Recently Used、ＬＲＵ）等の発見的方法によって記憶装置から除去されて新規コンテンツ用のスペースが作られる（ケース２）。ケース３は、ピアＰａがオーバーレイネットワーク上で視聴されていないコンテンツを取り込んだ場合（例えば、新規ユーザがライブイベント中にコンテンツを生成した場合）を示す。結果的に、特定のコンテンツが不人気となり、そのコピーを保持する最後のピアＰａがそれを削除した時に、当該コンテンツはネットワークから消去される。これらの４つのシナリオが以下に説明される。
【００４０】
ケース１：ピアＰａは新規コンテンツＣnewを発見し、ダウンロード及び共有を開始する。このケースでは、ピアＰａは、あらかじめネットワーク内に用意されたコンテンツＣnewを取得している。ピアＰａは、他のピアをトラッキング中であり、様々な異なるピアからコンテンツピースをダウンロードする。ピアＰａは、ランダムまたはその他の方法で選択された接続先のトラッカーＴｋを断続的に更新する。監査及びエネルギー管理を実行するために、Ｐａの所有するコンテンツピースの詳細がＳＤＳメッセージにより提供される。
【００４１】
ケース２：（例えばＣnewのために）Ｐａの記憶容量がなくなる一方で、コンテンツＣagedが古くなる。Ｐａの記憶領域からコンテンツＣagedが削除され、ピアＰａが共有可能なＣagedを有しない状態になると、Ｐａは関連するトラッカーに報知し、トラッカーはこれに応じて自身の保持するＣagedの関連コンテンツピースＣagedの監査情報を削除する。
ケース３：コンテンツＣvirginがピアＰａによって最初にネットワーク中に取り込まれる。所定のトラッカーＴｋを介してネットワークに取り込まれた新規コンテンツＣvirginは、以下のように、そのコンテンツピースに割り当てられた需要力を有する。
【００４２】
Ｄi,j virgin ＝ ０      …（８）
【００４３】
その供給力は、単純にＰａによって報告される帯域幅Ｂａである。
【００４４】
Ｓi,j virgin ＝ Ｂａ      …（９）
【００４５】
ケース４：コンテンツＣgoneは、これを保持する最後のＰａから削除されたことでネットワークから消去される。この場合、Ｃgoneのピースに関する情報を保持するトラッカーは、Ｃgoneのピースについてその保持する監査情報の全痕跡を削除する。
【００４６】
ピアＰａが最初にピアツーピアネットワークに接続するとき、ピアＰａは自身をブートしなくてはならない。ピアＰａは、共有用コンテンツピースを全く持たない状態で、その全てのアップロード能力を利用可能な状態で開始する。ピアＰａは、公衆に利用可能なスピードテストサーバに、この目的のために設計されたテストファイルをアップロードすることによって、アップロードするのに利用可能な帯域幅を決定する。この数字はＢ０として記録され、新規コンテンツがダウンロードされる（ケース１）場合と同様にトラッカーに報告される。
【００４７】
当然ながら、本発明の方法は中央機構ないしデータベースを要しないことから、数多くの異なる地理的及び／又は構造的実装についてスケーラブルかつフレキシブルであると考えられる。トラッカー管理機能の粒度は、全世界的でも、地域的でも、ピア密度に応じて分割されても、ピア装置のユーザ間に浸透した社会的グループ（例えば、友達のグループないし類縁集団(affinity groups)）に応じて割り当てられても良い。
【図１】
2011040060.tif 000005
【図２】
2011040060.tif 000006
【図３】
2011040060.tif 000007
【図４】
2011040060.tif 000008